(57)【要約】複数のネットワークを通じてデータ・オブジェクトを交換する携帯装置が提供される。この携帯装置は、第一のデータ形式のデータ・オブジェクトを第一のネットワーク上で交換し、第二のデータ形式のデータを第二のネットワーク上で交換する。この携帯装置は、設定可能な処理手段を有する。設定されると、処理手段は第一のネットワークから受信された第一の形式のデータを第二の形式のデータへ変換する。次いで、処理手段は変換されたデータを第二のネットワークへ転送する。
2004504766.tif 000002
【特許請求の範囲】
【請求項１】
第一の通信ネットワークを通じて第一のデータ形式を用いて通信する第一のインターフェース手段と、
第二の通信ネットワークを通じて第二のデータ形式を用いて通信する第二のインターフェース手段と、
処理手段とを有する携帯装置であって、
前記処理手段は、
前記第一及び第二のインターフェース手段に接続されていると共に、
前記第一のネットワークから受信された第一のデータを、該受信された第一のデータを前記第一の形式から前記第二の形式へ変換した上で前記第二のネットワークへ転送するように設定可能であることを特徴とする携帯装置。
【請求項２】
請求項１記載の装置であって、
前記処理手段は、前記第二のネットワークから受信された第二のデータを、該受信された第二のデータを前記第二の形式から前記第一の形式へ変換した上で前記第一のネットワークへ転送するように設定可能であることを特徴とする携帯装置。
【請求項３】
請求項１記載の装置であって、
前記受信された第一のデータはテキスト・メッセージ・データであることを特徴とする装置。
【請求項４】
請求項１記載の装置であって、
前記第一の通信ネットワークは無線電話網であることを特徴とする装置。
【請求項５】
請求項１記載の装置であって、
前記第一のデータ形式はショート・メッセージ・サービス・データ形式であることを特徴とする装置。
【請求項６】
請求項１記載の装置であって、
前記第二の通信ネットワークはパーソナル・アクセス・ネットワークであることを特徴とする装置。
【請求項７】
請求項１記載の携帯装置であって、
前記処理手段はユーザによって設定されることを特徴とする携帯装置。
【請求項８】
請求項１記載の携帯装置であって、
前記処理手段は音声コマンドによって設定されることを特徴とする携帯装置。
【請求項９】
請求項１記載の携帯装置であって、
前記処理手段は、前記第一又は第二の通信ネットワークのいずれか一から受信されたデータによって設定されることを特徴とする携帯装置。
【請求項１０】
請求項１記載の携帯装置であって、
ユーザと第三の形式のデータを交換するユーザ・インターフェースを更に有し、
前記処理手段は、前記第一又は第二のネットワークのいずれか一から受信された第三のデータを該受信された第三のデータを前記第三の形式へ変換した上で前記ユーザ・インターフェースへ転送するように設定可能であることを特徴とする携帯装置。
【請求項１１】
請求項１０記載の携帯装置であって、
前記第三の形式へ変換された第三のデータを記録するメモリ配列を更に有することを特徴とする携帯装置。
【請求項１２】
第一の通信ネットワークを通じてデータを交換する第一の装置と、
第二の通信ネットワークを通じてデータを交換する第二の装置と、
第一のデータ形式を用いて前記第一の装置と通信する第一のインターフェース手段、第二のデータ形式を用いて前記第二の装置と通信する第二のインターフェース手段、及び処理手段を有する携帯装置と、を有する通信システムであって、
前記処理手段は、
前記第一及び第二のインターフェース手段に接続されていると共に、
前記装置から受信されたデータを、該受信されたデータを前記第一の形式から前記第二の形式へ変換した上で前記基地局へ転送するように設定可能であることを特徴とする通信システム。
【請求項１３】
請求項１２記載のシステムであって、
前記第二の通信ネットワークは電話網であることを特徴とするシステム。
【請求項１４】
請求項１２記載のシステムであって、
前記第一の通信ネットワークはワイヤレス・パーソナル・アクセス・ネットワークであることを特徴とするシステム。
【発明の詳細な説明】
【０００１】
（発明の属する技術分野）
本発明は、少なくとも２つのネットワークを通じて通信する携帯装置に関する。本発明は、ネットワーク間通信を提供する通信システムにも関する。
【０００２】
本発明は、無線技術用途に関連する。本発明は、一のネットワークから他のネットワークへの例えばメッセージなどのデータ・オブジェクトの交換を可能にする。
【０００３】
（発明の背景）
手に持てる通信装置の益々増える数はワイヤレス接続性を提供することの必要性を明らかにしている。よって、Ｗｉｒｅｌｅｓｓ　Ｌｏｃａｌ　Ａｒｅａ　Ｎｅｔｗｏｒｋｓ（ＷＬＡＮ）及びＷｉｒｅｌｅｓｓ　Ｐｅｒｓｏｎａｌ　Ａｒｅａ　Ｎｅｔｗｏｒｋｓ（ＷＰＡＮ）上での通信を規定する規格が開発されている。Ｉｎｆｒａｒｅｄ　Ｄａｔａ　Ａｓｓｏｃｉａｔｉｏｎ（ＩｒＤＡ）は、ショートレンジ赤外線ワイヤレス通信用の規格を規定している。ＩｒＤＡは、ＩｒＭＣ（ＩＲ　Ｍｏｂｉｌｅ　Ｃｏｍｍｕｎｉｃａｔｉｏｎｓ　ｐｒｏｔｏｏｌ）やＩｒＯＢＥＸ（Ｏｂｊｅｃｔ　Ｅｘｃｈａｎｇｅ　Ｐｒｏｔｏｃｏｌ）などの複数のデータ・プロトコルを規定してきている。ＩｒＭＣ規格書：「Ｓｐｅｃｉｆｉｃａｔｉｏｎ　ｆｏｒ　ＩＲ　Ｍｏｂｉｌｅ　Ｃｏｍｍｕｎｉｃａｔｉｏｎｓ」（Ｖｅｒｓｉｏｎ１．１、１９９９年３月）は、例えば、携帯ハンドセット、ＰＣ、ノートブック、ＰＤＡ、携帯電話などのワイヤレス通信端末における赤外線の利用に関する規則を規定している。７３〜８１頁において、このＩｒＭＣ規格は、特に、ｖＭｅｓｓａｇｅｓと定義されるテキスト・メッセージをメッセージ・アプリケーション間で交換することを可能にする。ＩｒＯＢＥＸ規格書：「ＩＲ　Ｏｂｊｅｃｔ　Ｅｘｃｈａｎｇｅ　ｐｒｏｔｏｃｏｌ」（Ｖｅｒｓｉｏｎ１．２、１９９９年３月）は、ＩｒＭＣ規格で定義されたｖＭｅｓｓａｇｅなどのデータ・オブジェクトの一の装置から他の装置へ交換を規定している。６８〜７０頁において、ＩｒＯＢＥＸ規格は、データ・オブジェクト及び特にｖＭｅｓａｇｅのプロファイルを規定している。ＯＢＥＸプロトコルは、ブルートゥース無線技術若しくはＩｒＤＡ赤外線技術を用いる可能性を可能にするブルートゥース技術によって利用されてもよい。
【０００４】
米国特許第５，９４６，６２９号は、ネットワーク間（ｉｎｔｅｒ　ｎｅｔｗｏｒｋ）メッセージ通信に関する。この文献は、ネットワーク間メッセージ通信を行う携帯電話網のメッセージ・センタにおける機能性について開示している。移動局から発せられたＳＭＳメッセージについて、このメッセージ・センタは、指定されたメッセージ伝達網とそのメッセージを伝達するための該指定網上の宛先アドレスとを識別するために、受信されたメッセージを分析する。次いで、このメッセージは、指定網上での伝送のために再フォーマットされ、適切な形式で該指定網を通じて識別された宛先アドレスへ転送される。携帯電話網以外のネットワークを通じて発行されたメッセージについて、メッセージ・センタは、メッセージを伝達するための携帯電話網上の加入者移動局宛先を識別するために、受信されたメッセージを分析する。次いで、この受信メッセージは、携帯電話網を通じた伝送のために再フォーマットされ、ＳＭＳメッセージ形式で該携帯電話網を通じて識別された加入者移動局へ転送される。
【０００５】
（発明の開示）
本発明の目的は、携帯性を有し、ユーザによって設定可能なネットワーク間通信を可能にすることである。
【０００６】
本発明の別の目的は、第一のネットワークを通じて第一のデータ形式を用いて通信すると共に、別のネットワークを通じて第二のデータ形式を用いて通信する他の装置との内部接続を可能にするユーザ・フレンドリな装置を提供することである。
【０００７】
このため、本携帯装置は、第一の通信ネットワークを通じて第一のデータ形式を用いて通信する第一のインターフェース手段を有する。本装置は、更に、第二の通信ネットワークを通じて第二のデータ形式を用いて通信する第二のインターフェース手段を有する。本装置は、上記第一及び第二のインターフェース手段に接続された処理手段を有する。処理手段は、上記第一のネットワークから受信された第一のデータを、該受信された第一のデータを上記第一の形式から上記第二の形式へ変換した上で上記第二のネットワークへ転送するように設定可能である。
【０００８】
本発明に係る装置は、所定のタスクを実行するように前もって設定されることが可能である。このタスクは、例えば、上記第一のネットワークから受信されたデータを上記第一の形式から上記第二の形式へ変換し、該変換されたデータを上記第二のネットワークを通じて転送することを含む。本発明によれば、上記処理手段によって、ネットワーク間通信が本装置内でローカルに管理される。処理手段は、ユーザによって任意的に設定されてもよい。本発明に係る装置は、一のネットワークから他のネットワークへデータ・オブジェクトを自動的に転送することを欲するユーザにとって非常に便利である。
【０００９】
（好ましい実施形態）
添付図面を参照して、本発明の詳細を例示的に説明する。
【００１０】
類似の又は対応する特徴を有する図中の要素は同様の参照番号によって識別される。
【００１１】
図１は、本発明に係る携帯装置１００の機能ブロック図である。装置１００は、第一のワイヤレス・ネットワーク１０を通じて別の装置と第一の形式のデータを交換する第一のインターフェース手段１０４を有する。装置１００は、ネットワーク１０に含まれる。インターフェース手段１０４は、例えば、移動無線送受信器などのワイヤレス送受信器である。上記第一の形式は、ネットワーク１０固有のリクワイヤメントによって定義される。ネットワーク１０は、例えば、ＧＳＭネットワークなどのワイヤレス電話網である。
【００１２】
装置１００は、第二のワイヤレス・ネットワーク２０を通じて別の装置と第二の形式のデータを交換する第二のインターフェース手段１０５を有する。装置１００はネットワーク２０に含まれる。上記第二の形式は、ネットワーク２０固有のリクワイヤメントによって定義される。ネットワーク２０は、例えば、ブルートゥース環境において規定されるＷＰＡＮである。
【００１３】
装置１００は、更に、処理手段１０１と、２つの内部回路：ユーザ・インターフェース１０３及びメモリ・ユニット１０２とを有する。処理手段１０１は、インターフェース手段１０４及び１０５、メモリ１０２、及びユーザ・インターフェース１０３に接続されている。
【００１４】
処理手段１０１は、個別のタスクを実行するための制御コマンドＣ１、Ｃ２・・・Ｃｎによって設定され得る。例えば、第一の制御コマンドＣ１に応答して、処理手段１０１は、第一の工程として、第一のインターフェース手段１０４によって受信された第一の形式のデータを第二の形式のデータへ変換し、第二の工程として、変換されたデータを第二のインターフェース手段１０５へ送信することによって、変換されたデータを第二のネットワーク２０へ転送するように設定される。同様に、第二の制御コマンドＣ２に応答して、例えば処理手段１０１はユーザ・インターフェース１０３から受信されたデータを第二の形式のデータへ変換するように設定される。処理手段１０１は、更に、変換されたデータを第二のネットワーク２０へ転送するように設定される。所定形式の受信データを別のデータ形式へ変換する工程と変換されたデータを上記２つのネットワークのうちの１つか、装置１００の内部回路１０３及び１０２のうちの１つ若しくは両方へ転送する工程とを有する他のシナリオを考慮することも本発明の範囲内である。
【００１５】
図２は、本発明に係る通信システム２００の一例である。システム２００は、本発明に係る装置１００を有する。本実施形態において、装置１００は携帯無線電話である。システム２００は、更に、ネットワーク１０を通じて第一の形式のデータを電話１００と交換する無線電話基地局３００を有する。システム２００は、更に、ネットワーク２０を通じて第二の形式のデータを電話１００と交換する装置４００を有する。本実施形態において、装置４００は、例えば、ＷＰＡＮ２０内のパーソナル・コンピュータである。本発明に係るシステム２００は、コンピュータ４００、及び、電話１００が通信し得るＷＰＡＮ２０及びネットワーク１０の各基地局３００以外の装置を有してもよい。
【００１６】
図３は、本発明に係る通信システム２００のブロック図である。電話１００は例えばＧＳＭネットワークであるネットワーク１０に含まれる。電話１００は、ＧＳＭネットワーク１０を通じて、ＧＳＭ規格によって規定された上記第一の形式のデータを送信又は受信してもよい。このようなデータは電話呼の音声データか、又はｓｈｏｒｔ　ｍｅｓｓａｇｅ　ｓｅｒｖｉｃｅ（ＳＭＳ）メッセージである。以下ではＳＭＳメッセージの送受信を例として説明する。電話１００のインターフェース手段１０４は、よく知られた６つのＯＳＩ（Ｏｐｅｎ　Ｓｙｓｔｅｍ　Ｒｅｆｅｒｅｎｃｅ　ｍｏｄｅｌ　ｏｆ　ｌａｙｅｒｓ）レイヤ：物理層、データリンク層、ネットワーク層、トランスポート層、セッション層、及びプレゼンテーション層、から構成されるＲＦプロトコル・スタック１０９を有する。プロトコル・スタック１０９は、ＧＳＭネットワーク１０を通じてＳＭＳメッセージを送受信する。インターフェース手段１０４は、更に、ＯＳＩアプリケーション層１０６を有する。ネットワーク１０上で別の装置によって電話１００へ送信されたＳＭＳメッセージは、インターフェース手段１０４のスタック１０９によって受信される。レイヤ１０６は、スタック１０９から、ＳＭＳメッセージの受信に関連するデータを取り出す。このようなＳＭＳメッセージの受信に関連するデータとしては、送信者のアドレス、メッセージの送信時刻、及びメッセージそれ自体、などが考えられる。ネットワーク１０を通じてＳＭＳメッセージが電話１００によって別の装置へ送信されると、このＳＭＳメッセージはネットワーク１０を通じてインターフェース手段１０４によって送信される。レイヤ１０６は、ネットワーク１０を通じたＳＭＳメッセージの送信に関連するデータをスタック１０９に提供する。このようなＳＭＳメッセージの送信に関連するデータとしては、宛先アドレス、メッセージ送信時刻、及びメッセージそれ自体、などが考えられる。
【００１７】
パーソナル・コンピュータ４００及び電話１００は、ネットワーク２０を通じて互いに通信する。本実施形態において、ネットワーク２０はＷＰＡＮである。電話１００及びコンピュータ４００は、上記第二のデータ形式のメッセージを交換する。上記引用されたＩｒＭＣ規格書の７３〜８１頁に規定されたいわゆるｖＭｅｓｓａｇｅ形式を有する上記第二の形式の上記メッセージは、ＷＰＡＮ２０を通じて伝送される。しかし、ＷＡＰＮ２０を通じたデータ伝送に適したあらゆる他の形式も用いることができる。インターフェース手段１０５は、ＷＰＡＮ２０を通じてｖＭｅｓｓａｇｅメッセージを送受信するＷＰＡＮプロトコル・スタック１１０を有する。インターフェース手段１０５は、更に、アプリケーション層１０７を有する。電話１００によって受信されたｖＭｅｓｓａｇｅメッセージは、インターフェース手段１０５のスタック１１０によって受信される。レイヤ１０７は、スタック１１０から、ｖＭｅｓｓａｇｅメッセージの受信に関連するデータを取り出す。このようなｖＭｅｓｓａｇｅメッセージの受信に関連するデータとしては、送信者のアドレス、メッセージの送信時刻、及びメッセージそれ自体、などが考えられる。ＷＰＡＮ２０を通じてｖＭｅｓｓａｇｅメッセージが電話１００によって送信されると、レイヤ１０７は、ＷＰＡＮ２０を通じたｖＭｅｓｓａｇｅメッセージの送信に関連するデータをスタック１１０に提供する。このようなｖＭｅｓｓａｇｅメッセージの送信に関連するデータとしては、宛先アドレス、メッセージ送信時刻、及びメッセージそれ自体、などが考えられる。
【００１８】
電話１００は、前述のように、更に、処理手段１０１、メモリ１０２、及びユーザ・インターフェース１０３を有する。メモリ１０２はＧＳＭネットワーク１０及びＷＰＡＮ２０上を通じた装置１００の従前の通信に関連するデータを記録する。例えば、メモリ１０２は、ＧＳＭネットワーク１０を通じた従前のＳＭＳメッセージの送受信に関連するデータと、ＷＰＡＮ２０を通じた従前のｖＭｅｓｓａｇｅメッセージの送受信に関連するデータとを記録する。ｖＭｅｓｓａｇｅ及びＳＭＳメッセージに関連するこれらデータは、上記第一及び第二の形式と異なる第三のデータ形式で保存されてもよい。メモリ１０２は、この第三の形式のデータを受信し、処理手段１０１へ供給する。
【００１９】
ユーザ・インターフェース１０３は、受信メッセージを取り出し、読み、上記２つのネットワーク１０若しくは２０の一方を通じて送信されるメッセージを書くのに用いられ得るマイク、キーボード、及び視覚ディスプレイを有する。本発明によれば、ユーザ・インターフェース１０３は、更に、ユーザによって電話１００を設定するのに用いられる。実際、ユーザは、制御コマンドＣ１・・・Ｃｎをユーザ・インターフェース１０３を用いて入力し、この制御コマンドは後述する設定のために処理手段１０１へ送信される。本実施形態において、ユーザ・インターフェース１０３は、上記第三の形式のデータを受信し、処理手段１０１へ送信する。
【００２０】
前述のように、処理手段１０１は、各制御コマンドＣｋに応答してそれぞれのタスクを実行するように設定される。本実施形態において、制御コマンドＣｋは、ユーザが処理手段１０１に特定のタスクを実行するように要求したときにユーザ・インターフェース１０３から発せられる。これは、例えば、ユーザが電話１００のキーボードの特定のキーを押すことによって為されることも可能であり、或いは、インターフェース１０３内の音声起動プロトコルによってなされることも可能である。別の実施形態において、制御コマンドＣｋはＧＳＭネットワーク１０若しくはＷＰＡＮ２０上の別の装置からそれぞれインターフェース手段１０４若しくは１０５によって受信される。
【００２１】
一実施形態において、処理手段１０１は、受信された第三の制御コマンドＣ３に応答して特定のタスクを実行するように設定される。この受信された制御コマンドＣ３に応答して、処理手段１０１は、受信された第一のデータＤ１を第三の形式の第二のデータＤ２へ自動的に変換するように設定される。第一のデータＤ１は、該第一のデータＤ１がそれぞれインターフェース手段１０４若しくは１０５によって受信されたデータのいずれに関連するものかに応じて、第一若しくは第二の形式のいずれかの形式となる。次いで、処理手段１０１は、第三の形式の第二のデータＤ２をユーザ・インターフェース１０３及びメモリ１０２へ自動的に転送するように設定される。
【００２２】
本実施形態において、インターフェース手段１０４は、ＧＳＭネットワーク１０を通じて別の装置によって送信されたＳＭＳメッセージを受信する。インターフェース手段１０４は、このＳＭＳメッセージの受信に関連する第一のデータＤ１を処理手段１０１へ送信する。前述のように、処理手段１０１は、制御コマンドＣ３によって設定されている。よって、処理手段１０１は、第一のデータＤ１（この場合第一の形式）を第三の形式の第二のデータＤ２へ変換する。本実施形態において、上記第三の形式は、電話１００の様々な内部回路１０２及び１０３の間での内部データ通信に適したデータ形式である。次いで、処理手段１０１は、第二のデータＤ２を第二のデータＤ２が記録される場所であるメモリ１０２へ転送するように設定される。加えて、処理手段１０１は、第一のデータＤ１を更に第三の形式の第三のデータＤ３へ変換してもよい。次いで、処理手段１０１は、第三のデータＤ３をユーザにＳＭＳメッセージが受信されたことを通知したユーザ・インターフェース１０３へ転送する。データＤ２及びＤ３は同一のものであってもよく、その場合ユーザ・インターフェース１０３及びメモリ１０２は同じ第二のデータＤ２を受信する。実際、受信された第二のデータＤ２に応答して、メモリ１０２は第二のデータＤ２を記録し、ユーザ・インターフェース１０３は第二のデータＤ２の内容を無視し、一メッセージが受信されたことだけをユーザに通知する。メモリ１０２の第二のデータＤ２は、次いで、インターフェース１０３を用いたユーザによる特定の要求に応答して、ユーザによって取り出されてもよい。
【００２３】
同様に、インターフェース手段１０５がＷＰＡＮネットワーク２０を通じて送信されたｖＭｅｓｓａｇｅメッセージを受信すると、インターフェース手段１０５は、ｖＭｅｓｓａｇｅメッセージの受信に関連する第一のデータＤ１を処理手段１０１へ自動的に送信する。受信されたＳＭＳメッセージの場合と同様に、処理手段１０１は、第一のデータＤ１を第二のデータＤ２へ変換し、第二のデータＤ２をメモリ１０２及びユーザ・インターフェース１０３へ転送する。
【００２４】
本発明の一実施形態において、データＤ２及びＤ３は、第一のデータＤ１の全部又は一部を、データＤ２及びＤ３が転送される電話１００の回路に適した形式へ変換することによって取得されてもよい。データＤ２及びＤ３は、処理手段１０１とメモリ１０２及びユーザ・インターフェース１０３との間の規定された通信から取得されてもよい。本実施形態において、第一のデータＤ１を受信すると、処理手段１０１は、第三のデータＤ３を生成する。この第三のデータＤ３は、インターフェース１０３へ送信されると、一メッセージが受信されたことのユーザへの通知のみをもたらす。該通知は、例えば、ユーザ・インターフェース１０３上に封筒のグラフィック表示を表示することによって為される。この例において、処理手段１０１によって転送された第三のデータＤ３は、第一のデータＤ１の情報内容の表示を与えることはかならずしも必要ではない。第三のデータＤ３は、インターフェース手段１０４及び１０５によって受信されたあらゆるメッセージ若しくはデータ・オブジェクトに対して共通のデータであってもよい。
【００２５】
処理手段１０１のこのような設定により、ユーザはＧＳＭネットワーク１０及びＷＰＡＮ２０を通じて送信されたあらゆるデータ・オブジェクトを電話１００へ導くことができる。そこで、コンピュータ４００は、コンピュータ４００が電子メールを受信する度にｖＭｅｓｓａｇｅを電話１００へ送信するように設定されてもよい。よって、電話１００が上記タスクを実行するようにコマンドＣ３によって前もって設定されているとき、ユーザはコンピュータ４００上で電子メールが受信された時に電話１００上で通知を受ける。
【００２６】
図３において、コンピュータ４００は、ユーザ・インターフェース４０２を有する。ユーザ・インターフェース４０２により、ユーザはコンピュータ４００と通信するができる。インターフェース４０２は、キーボード及びスクリーンを有する。コンピュータ４００は、ｖＭｅｓｓａｇｅ処理手段４０３及びＷＰＡＮインターフェース手段４０１を有する。インターフェース手段４０１により、コンピュータ４００は電話１００及びネットワーク２０上のあらゆる装置と通信するができる。インターフェース手段４０１によってＶＭｅｓｓａｇｅが受信されると、処理手段４０３は、受信されたｖＭｅｓｓａｇｅに関連するデータを生成し、これをユーザ・インターフェース４０２へ送信し、ｖＭｅｓｓａｇｅが受信されたことをユーザに示す。逆方向において、ユーザは、ユーザ・インターフェース４０２、処理手段４０３、そして最終的にはインターフェース手段４０１を用いて、コンピュータ４００からネットワーク２０上にデータを送信する。コンピュータ４００は、ダイヤルアップ・ネットワーキング回路４０４によって、別のネットワーク上で送信された電子メールを受信する。よって、この電子メールが回路４０４を通じて受信されると、ユーザ・インターフェース４０２、処理手段４０３、及びインターフェース手段４０１は、ｖＭｅｓｓａｇｅを生成し、これを電話１００へ送信する。
【００２７】
そこで、処理手段１０１は、前述の第一の制御コマンドＣ１によって別のタスクを実行するように構成されてもよい。処理手段１０１がインターフェース手段１０４から第一のデータＤ１を受信すると、処理手段１０１は、第一の形式の受信された第一のデータＤ１を第二の形式の第二のデータＤ２へ変換し、第二のデータＤ２をインターフェース手段１０５及びネットワーク２０へ転送する。この設定により、ユーザは電話１００によって受信されたあらゆるメッセージをネットワーク１０を通じてパーソナル・コンピュータ４００へ再度導くことができる。ＳＭＳメッセージが電話１００のスタック１０９によって受信されると、インターフェース手段１０４はＳＭＳメッセージの受信に関連する第一のデータＤ１を自動的に送信する。処理手段１０１は、第一のタスクを実行するように設定されている。結果として、受信された第一のデータＤ１に応答して、処理手段１０１は第一のデータＤ１を第二のデータＤ２へ変換する。第二のデータＤ２は、第二の形式を用いて、ＳＭＳメッセージそれ自体の情報内容、ＳＭＳメッセージの送信者のアドレス、及びＳＭＳメッセージが本来受信された時刻を有し得る。次いで、第二のデータＤ２は、ＷＰＡＮ２０を通じたｖＭｅｓｓａｇｅメッセージの送信のために、インターフェース手段１０５へ転送される。インターフェース手段１０５は、ｖＭｅｓｓａｇｅメッセージをコンピュータ４００へＷＰＡＮ２０を通じて自動的に送信する。この設定により、ユーザは電話１００によって受信されたあらゆるメッセージ・オブジェクトをＧＳＭネットワークを通じてコンピュータ４００上から取り出すことができる。
【００２８】
上述の装置に関し、本発明の範囲を逸脱することなく、修正若しくは改良が提案され得ることに注意。例えば、この装置は、有線接続された電気回路によって実現されてもよく、コンピュータ可読媒体に記録された命令群によって実現されてもよい。上記命令群は、上記回路の少なくとも一部を置き換えるものであって、コンピュータ若しくはディジタル・プロセッサの制御下で上記置き換えられた回路において実行されるのと同じ機能を実行するように実行され得る。
【００２９】
請求項における「有する」という語は該請求項に列挙された要素以外の要素の存在を排除するものではないことにも注意。
【図面の簡単な説明】
【図１】
本発明に係る装置の機能ブロック図である。
【図２】
本発明に係る通信システムである。
【図３】
本発明に係る通信システムである。
【図１】
2004504766.tif 000003
【図３】
2004504766.tif 000004
【国際公開パンフレット】
2004504766.tif 000005
2004504766.tif 000006
2004504766.tif 000007
2004504766.tif 000008
2004504766.tif 000009
2004504766.tif 000010
2004504766.tif 000011
2004504766.tif 000012
2004504766.tif 000013
2004504766.tif 000014
2004504766.tif 000015
2004504766.tif 000016
2004504766.tif 000017
2004504766.tif 000018
【国際公開パンフレット（コレクトバージョン）】
2004504766.tif 000019
【国際調査報告】
2004504766.tif 000020
2004504766.tif 000021